(57)【特許請求の範囲】
【請求項１】
第１半導体スイッチと、電流入力端が該第１半導体スイッチの電流出力端に接続されている複数の第２半導体スイッチとをオン又はオフに切替える切替え部を備え、該切替え部の切替えによって、前記複数の第２半導体スイッチ夫々を介した給電を制御する給電制御装置であって、
前記第１半導体スイッチの電流入力端及び電流出力端間に接続されている第１寄生ダイオードと、
前記複数の第２半導体スイッチ夫々の電流入力端及び電流出力端間に接続されている複数の第２寄生ダイオードと
を備え、
前記第１寄生ダイオードのカソードは、前記複数の第２寄生ダイオード夫々のカソードに接続されており、
前記第１半導体スイッチは、電流入力端の電位を基準とした制御端の電圧が第１閾値以上となった場合にオンに切替わり、
前記複数の第２半導体スイッチ夫々は、電流出力端の電位を基準とした制御端の電圧が第２閾値以上となった場合にオンに切替わり、
カソードが前記第１半導体スイッチの制御端に接続されている複数のダイオードを備え、
該ダイオードの数は前記第２半導体スイッチの数と同じであり、
前記複数のダイオード夫々のアノードは、前記複数の第２半導体スイッチの制御端に接続され、
前記切替え部は、前記複数の第２半導体スイッチ中の少なくとも１つをオンに切替える場合に前記第１半導体スイッチをオンに切替え、前記複数の第２半導体スイッチの全てをオフに切替える場合に前記第１半導体スイッチをオフに切替えること
を特徴とする給電制御装置。
【請求項２】
前記第１半導体スイッチの電流入力端及び制御端間に接続される抵抗を備えること
を特徴とする請求項１に記載の給電制御装置。
【請求項３】
前記第１半導体スイッチの電流入力端及び制御端間に接続され、前記複数の第２半導体スイッチ夫々の電流出力端の電位を基準として、前記第１半導体スイッチの電流入力端に負の電圧が印加された場合にオンに切替わるスイッチを備え、
前記第１半導体スイッチは、電流入力端及び制御端間の電圧が略ゼロＶである場合にオフであること
を特徴とする請求項１又は請求項２に記載の給電制御装置。
【発明の詳細な説明】
【技術分野】
【０００１】
本発明は、複数のスイッチ夫々を介した給電を制御する給電制御装置に関する。
【背景技術】
【０００２】
車両には、バッテリから負荷への給電を制御する給電制御装置（例えば、特許文献１を参照）が搭載されている。特許文献１に記載の給電制御装置は、２つのＮチャネル型のＦＥＴ(Field Effect Transistor)を備え、一方のＦＥＴのドレインが他方のＦＥＴのドレインに接続されている。一方のＦＥＴのソースはバッテリの正極に接続され、他方のＦＥＴのソースは負荷の一端に接続されている。バッテリの負極は負荷の他端に接続されている。
【０００３】
２つのＦＥＴ夫々のドレイン及びソース間には寄生ダイオードが接続されている。２つのＦＥＴ夫々において、寄生ダイオードのカソードはドレインに接続され、寄生ダイオードのアノードはソースに接続されている。従って、特許文献１に記載の給電制御装置では、一方のＦＥＴの寄生ダイオードのカソードは、他方のＦＥＴの寄生ダイオードのカソードに接続されている。
【０００４】
２つのＦＥＴを共にオンに切替えた場合、２つのＦＥＴ夫々のドレイン及びソース間に電流が流れ、バッテリから負荷に給電される。２つのＦＥＴを共にオフに切替えた場合、２つのＦＥＴ夫々のドレイン及びソース間に電流が流れることはない。更に、２つのＦＥＴ夫々が有する２つの寄生ダイオードのカソードが互いに接続されているので、２つのＦＥＴが共にオフである場合において、２つの寄生ダイオードを介して電流が流れることはない。
【０００５】
また、２つのＦＥＴが共にオフである状態で、バッテリを、誤って正極が負荷の他端に接続され、かつ、負極が一方のＦＥＴのソースに接続されるように接続した場合であっても、２つの寄生ダイオードを介して電流が流れないので、負荷に給電されることはない。
【先行技術文献】
【特許文献】
【０００６】
【特許文献１】特許第５７７２７７６号公報
【発明の概要】
【発明が解決しようとする課題】
【０００７】
バッテリから複数の負荷への給電を制御する給電制御装置として、特許文献１に記載されているように、バッテリと各負荷との間に２つのＦＥＴが接続されている給電制御装置が考えられる。しかしながら、この給電制御装置が備えるＦＥＴの数は、負荷の数の２倍であり、多い。このため、バッテリと各負荷との間に２つのＦＥＴが接続されている給電制御装置には、サイズが大きく、かつ、製造費用が嵩むという問題がある。
【０００８】
本発明は斯かる事情に鑑みてなされたものであり、その目的とするところは、少ない半導体スイッチで給電を適切に制御することができる給電制御装置を提供することにある。
【課題を解決するための手段】
【０００９】
本発明に係る給電制御装置は、第１半導体スイッチと、電流入力端が該第１半導体スイッチの電流出力端に接続されている複数の第２半導体スイッチとをオン又はオフに切替える切替え部を備え、該切替え部の切替えによって、前記複数の第２半導体スイッチ夫々を介した給電を制御する給電制御装置であって、前記第１半導体スイッチの電流入力端及び電流出力端間に接続されている第１寄生ダイオードと、前記複数の第２半導体スイッチ夫々の電流入力端及び電流出力端間に接続されている複数の第２寄生ダイオードとを備え、前記第１寄生ダイオードのカソードは、前記複数の第２寄生ダイオード夫々のカソードに接続されており、前記第１半導体スイッチは、電流入力端の電位を基準とした制御端の電圧が第１閾値以上となった場合にオンに切替わり、前記複数の第２半導体スイッチ夫々は、電流出力端の電位を基準とした制御端の電圧が第２閾値以上となった場合にオンに切替わり、カソードが前記第１半導体スイッチの制御端に接続されている複数のダイオードを備え、該ダイオードの数は前記第２半導体スイッチの数と同じであり、前記複数のダイオード夫々のアノードは、前記複数の第２半導体スイッチの制御端に接続され、前記切替え部は、前記複数の第２半導体スイッチ中の少なくとも１つをオンに切替える場合に前記第１半導体スイッチをオンに切替え、前記複数の第２半導体スイッチの全てをオフに切替える場合に前記第１半導体スイッチをオフに切替えることを特徴とする。
【００１０】
本発明にあっては、第１半導体スイッチの電流出力端に、複数の第２半導体スイッチ夫々の電流入力端が接続されている。例えば、第１半導体スイッチの電流入力端にバッテリの正極が接続され、複数の第２半導体スイッチ夫々の電流出力端に負荷が接続されている。
複数の負荷中の少なくとも１つに給電する場合、第１半導体スイッチと、給電する一又は複数の負荷に対応する一又は複数の第２半導体スイッチとをオンに切替える。これにより、バッテリから一又は複数の負荷に給電される。
【００１１】
全ての第２半導体スイッチをオフに切替える場合、第１半導体スイッチをオフに切替える。また、第１寄生ダイオードのカソードは、複数の第２寄生ダイオードのカソードに接続されている。このため、第１半導体スイッチと全ての第２半導体スイッチとがオフである状態で、バッテリの負極が誤って第１半導体スイッチの電流入力端に接続された場合であっても、複数の負荷のいずれにも電流が流れることはない。
以上のように、（（負荷の数）＋１）個の半導体スイッチによって給電が適切に制御される。
【００１３】
また、複数の第２半導体スイッチ夫々の制御端にダイオードのアノードが接続されており、複数のダイオードのカソードに第１半導体スイッチの制御端が接続されている。このため、１つの第２半導体スイッチの制御端の電圧を上昇させた場合、第１半導体スイッチの制御端の電圧も上昇し、第１半導体スイッチ及び第２半導体スイッチが共にオンに切替わる。従って、複数の第２半導体スイッチ中の少なくとも１つをオンに切替えた場合、第１半導体スイッチもオンに切替わる。更に、複数の第２半導体スイッチがオンである状態で、オンである１つの第２半導体スイッチの制御端の電圧を低下させた場合に、第１半導体スイッチの制御端の電圧は低下することはないので、第１半導体スイッチがオフに切替わることはない。
【００１４】
本発明に係る給電制御装置は、前記第１半導体スイッチの電流入力端及び制御端間に接続される抵抗を備えることを特徴とする。
【００１５】
本発明にあっては、第１半導体スイッチの電流入力端及び制御端間に抵抗が接続されているため、全ての第２半導体スイッチがオフである場合、抵抗に電流が流れることはなく、第１半導体スイッチの電流入力端及び制御端の電圧差がゼロＶとなる。
第１半導体スイッチ及び第２半導体スイッチ夫々の制御端の電圧は、電流入力端及び制御端間、並びに、電流出力端及び制御端間夫々に接続されている寄生容量に制御端側から電流を供給することによって上昇し、第１半導体スイッチ及び第２半導体スイッチはオンに切替わる。
【００１６】
例えば、第１半導体スイッチの電流入力端にバッテリの正極が接続され、複数の第２半導体スイッチ夫々の電流出力端に負荷が接続されている。第１半導体スイッチがオフである状態で、１つの第２半導体スイッチの制御端の電圧を上昇させた場合、制御端の電圧がバッテリの出力電圧以上となるまで、第２半導体スイッチの制御端に供給した全ての電力が該制御端に接続されている２つの寄生容量に供給され、該制御端の電圧が上昇する。第２半導体スイッチの制御端の電圧がバッテリの出力電圧以上となった場合、第１半導体スイッチの制御端に接続されている２つの寄生容量と、第２半導体スイッチの制御端に接続されている２つの寄生容量とに給電される。これにより、第１半導体スイッチ及び第２半導体スイッチ夫々の制御端の電圧が上昇する。
【００１７】
本発明に係る給電制御装置は、前記第１半導体スイッチの電流入力端及び制御端間に接続され、前記複数の第２半導体スイッチ夫々の電流出力端の電位を基準として、前記第１半導体スイッチの電流入力端に負の電圧が印加された場合にオンに切替わるスイッチを備え、前記第１半導体スイッチは、電流入力端及び制御端間の電圧が略ゼロＶである場合にオフであることを特徴とする。
【００１８】
本発明にあっては、複数の第２半導体スイッチ夫々の電流出力端の電位を基準として、第１半導体スイッチの電流入力端に負の電圧が印加された場合、スイッチがオンに切替わり、第１半導体スイッチの電流入力端及び制御端間の電圧が略ゼロＶとなり、第１半導体スイッチがオフに切替わる。従って、第１半導体スイッチと、複数の第２半導体スイッチ中の少なくとも１つとがオンであっても、複数の第２半導体スイッチ夫々の電流出力端の電位を基準として、第１半導体スイッチの電流入力端に負の電圧が印加された場合、第１半導体スイッチは強制的にオフに切替わる。このため、複数の第２半導体スイッチ夫々から第１半導体スイッチへ電流が流れることが確実に防止される。
【発明の効果】
【００１９】
本発明によれば、少ない半導体スイッチで給電を制御することができる。
【図面の簡単な説明】
【００２０】
【図１】本実施の形態における電源システムの要部構成を示すブロック図である。
【図２】給電制御装置の回路図である。
【図３】制御回路の回路図である。
【図４】給電制御装置の動作を説明するためのタイミングチャートである。
【図５】制御回路の第２半導体スイッチのオンへの切替えの説明図である。
【発明を実施するための形態】
【００２１】
以下、本発明をその実施の形態を示す図面に基づいて詳述する。
図１は、本実施の形態における電源システム１の要部構成示すブロック図である。電源システム１は、好適に車両に搭載されており、給電制御装置１０、バッテリ１１、導体１２及びｎ（ｎ：２以上の整数）個の負荷Ａ１，Ａ２，・・・，Ａｎを備える。導体１２は、例えば、車両のボディである。
【００２２】
給電制御装置１０は、導体１２と、ｎ個の負荷Ａ１，Ａ２，・・・，Ａｎ夫々の一端と、正極端子Ｔ１とに各別に接続されている。ｎ個の負荷Ａ１，Ａ２，・・・，Ａｎ夫々の他端と、負極端子Ｔ２は導体１２に接続されている。バッテリ１１は、正極端子Ｔ１及び負極端子Ｔ２間に着脱可能に接続される。バッテリ１１の正常な接続状態は、バッテリ１１の正極及び負極夫々が正極端子Ｔ１及び負極端子Ｔ２に接続されている状態である。バッテリ１１の誤った接続状態は、バッテリ１１の正極及び負極夫々が負極端子Ｔ２及び正極端子Ｔ１に接続されている状態である。
【００２３】
バッテリ１１が正常に接続されている場合、給電制御装置１０を介して、バッテリ１１からｎ個の負荷Ａ１，Ａ２，・・・，Ａｎに各別に給電される。給電制御装置１０は、バッテリ１１からｎ個の負荷Ａ１，Ａ２，・・・，Ａｎへの給電を制御する。ｎ個の負荷Ａ１，Ａ２，・・・，Ａｎ夫々は、車両に搭載された電気機器であり、給電されている場合に作動し、給電が停止している場合に動作を停止している。
バッテリ１１の接続を誤った場合、給電制御装置１０は、負極端子Ｔ２からｎ個の負荷Ａ１，Ａ２，・・・，Ａｎに電流が流れることを防止する。
【００２４】
図２は給電制御装置１０の回路図である。給電制御装置１０は、第１半導体スイッチ２０、スイッチ２１、マイクロコンピュータ（以下、マイコンという）２２、ｎ個の制御回路Ｂ１，Ｂ２，・・・，Ｂｎ、ダイオードＤ１及び抵抗Ｒ１，Ｒ２，Ｒ３を有する。
第１半導体スイッチ２０はＮチャネル型のＦＥＴである。従って、給電制御装置１０は、更に、第１半導体スイッチ２０の製造時に形成される寄生ダイオードＤｐ１及び寄生容量Ｃｓ１，Ｃｄ１を有する。寄生ダイオードＤｐ１は、第１半導体スイッチ２０のソース及びドレイン間に接続され、寄生ダイオードＤｐ１のアノード及びカソード夫々は第１半導体スイッチ２０のソース及びドレインに接続されている。寄生容量Ｃｓ１は第１半導体スイッチ２０のゲート及びソース間に接続され、寄生容量Ｃｄ１は第１半導体スイッチ２０のゲート及びドレイン間に接続されている。寄生ダイオードＤｐ１は第１寄生ダイオードとして機能する。スイッチ２１はＮＰＮ型のバイポーラトランジスタである。
【００２５】
正極端子Ｔ１には、第１半導体スイッチ２０のソースが接続されている。第１半導体スイッチ２０のゲート及びドレイン夫々は、ｎ個の制御回路Ｂ１，Ｂ２，・・・，Ｂｎに接続されている。ｎ個の制御回路Ｂ１，Ｂ２，・・・，Ｂｎ夫々は、更に、ｎ個の負荷Ａ１，Ａ２，・・・，Ａｎの一端に接続されている。ｎ個の負荷Ａ１，Ａ２，・・・，Ａｎ夫々の他端は導体１２に接続されている。ｎ個の制御回路Ｂ１，Ｂ２，・・・，Ｂｎは、更に、マイコン２２に各別に接続されている。
【００２６】
第１半導体スイッチ２０のソースには、更に、スイッチ２１のエミッタと、抵抗Ｒ１，Ｒ２夫々の一端とが接続されている。抵抗Ｒ１の他端と、スイッチ２１のコレクタとは、第１半導体スイッチ２０のゲートに接続されている。抵抗Ｒ２の他端は、スイッチ２１のベースと、抵抗Ｒ３の一端とに接続されている。抵抗Ｒ３の他端はダイオードＤ１のカソードに接続されている。ダイオードＤ１のアノードは導体１２に接続されている。
このように、スイッチ２１及び抵抗Ｒ１夫々は第１半導体スイッチ２０のソース及びゲート間に接続されている。
【００２７】
図３は制御回路Ｂ１の回路図である。制御回路Ｂ１は、第２半導体スイッチ３０、駆動部３１及びダイオードＤ２を有する。
第２半導体スイッチ３０はＮチャネル型のＦＥＴである。従って、制御回路Ｂ１は、更に、第２半導体スイッチ３０の製造時に形成される寄生ダイオードＤｐ２及び寄生容量Ｃｓ２，Ｃｄ２を有する。寄生ダイオードＤｐ２は第２半導体スイッチ３０のドレイン及びソース間に接続され、寄生ダイオードＤｐ２のアノード及びカソード夫々は第２半導体スイッチ３０のソース及びドレインに接続されている。寄生容量Ｃｓ２は第２半導体スイッチ３０のゲート及びソース間に接続され、寄生容量Ｃｄ２は第２半導体スイッチ３０のゲート及びドレイン間に接続されている。寄生ダイオードＤｐ２は第２寄生ダイオードとして機能する。
【００２８】
第２半導体スイッチ３０のドレインは、第１半導体スイッチ２０のドレインに接続されている。第２半導体スイッチ３０のソースは負荷Ａ１の一端に接続されている。第２半導体スイッチ３０のゲートは、駆動部３１と、ダイオードＤ２のアノードとに接続されている。ダイオードＤ２のカソードは第１半導体スイッチ２０のゲートに接続されている。駆動部３１は、更に、マイコン２４に接続されている。
【００２９】
制御回路Ｂ２，Ｂ３，・・・，Ｂｎ夫々は、制御回路Ｂ１と同様に、第２半導体スイッチ３０、駆動部３１、ダイオードＤ２、寄生ダイオードＤｐ２及び寄生容量Ｃｓ２，Ｃｄ２を有する。従って、駆動部３１、ダイオードＤ２、寄生ダイオードＤｐ２及び寄生容量Ｃｓ２，Ｃｄ２夫々の数は第２半導体スイッチ３０の数と同じである。
【００３０】
制御回路Ｂ２，Ｂ３，・・・，Ｂｎ夫々の第２半導体スイッチ３０、駆動部３１、ダイオードＤ２、寄生ダイオードＤｐ２及び寄生容量Ｃｓ２，Ｃｄ２は、第２半導体スイッチ３０のソースの接続先を除き、制御回路Ｂ１の第２半導体スイッチ３０、駆動部３１、ダイオードＤ２、寄生ダイオードＤｐ２及び寄生容量Ｃｓ２，Ｃｄ２と同様に接続されている。制御回路Ｂ２，Ｂ３，・・・，Ｂｎ夫々の第２半導体スイッチ３０のソースは、負荷Ａ２，Ａ３，・・・，Ａｎの一端に接続されている。
従って、第１半導体スイッチ２０の寄生ダイオードＤｐ１のカソードは、ｎ個の第２半導体スイッチ３０夫々の寄生ダイオードＤｐ２のカソードに接続されている。
【００３１】
第１半導体スイッチ２０に関して、ソースの電位を基準としたゲートの電圧がオン閾値Ｖｎ１以上となった場合、ソース及びドレイン間の抵抗値が略ゼロΩとなる。このとき、第１半導体スイッチ２０はオンに切替わる。また、第１半導体スイッチ２０に関して、ソースの電位を基準としたゲートの電圧がオフ閾値Ｖｆ１未満となった場合、ソース及びドレイン間の抵抗値が十分に大きく、ソース及びドレイン間に電流が流れることは殆どない。このように、第１半導体スイッチ２０において、ソースの電位を基準としたゲートの電圧がオフ閾値Ｖｆ１未満となった場合、第１半導体スイッチ２０はオフに切替わる。オフ閾値Ｖｆ１は、正であり、オン閾値Ｖｎ１未満である。
【００３２】
同様に、第２半導体スイッチ３０に関して、ソースの電位を基準としたゲートの電圧がオン閾値Ｖｎ２以上となった場合、ソース及びドレイン間の抵抗値が略ゼロΩである。このとき、第２半導体スイッチ３０はオンに切替わる。また、第２半導体スイッチ３０に関して、ソースの電位を基準としたゲートの電圧がオフ閾値Ｖｆ２未満である場合、ソース及びドレイン間の抵抗値が十分に大きく、ソース及びドレイン間に電流が流れることは殆どない。このように、第２半導体スイッチ３０において、ソースの電位を基準としたゲートの電圧がオフ閾値Ｖｆ２未満となった場合、第２半導体スイッチ３０はオフに切替わる。オフ閾値Ｖｆ２は、正であり、オン閾値Ｖｎ２未満である。
【００３３】
更に、スイッチ２１に関して、エミッタの電位を基準としたベースの電圧がオン閾値Ｖｎ３以上となった場合、エミッタ及びコレクタ間の抵抗値が略ゼロΩである。このとき、スイッチ２１はオンに切替わる。また、スイッチ２１に関して、エミッタの電位を基準としたベースの電圧がオフ閾値Ｖｆ３未満である場合、エミッタ及びコレクタ間の抵抗値が十分に大きく、エミッタ及びコレクタ間に電流が流れることは殆どない。このように、スイッチ２１において、エミッタの電位を基準としたゲートの電圧がオフ閾値Ｖｆ３未満となった場合、スイッチ２１はオフに切替わる。オフ閾値Ｖｆ３は、正であり、オン閾値Ｖｎ３未満である。
【００３４】
バッテリ１１が正常に接続されている場合、ダイオードＤ１の作用により、抵抗Ｒ２，Ｒ３に電流が流れることはない。このため、スイッチ２１に関して、エミッタの電位を基準としたベースの電圧は、略ゼロＶであり、オフ閾値Ｖｆ３未満である。このため、バッテリ１１が正常に接続されている場合、スイッチ２１はオフである。
【００３５】
バッテリ１１の接続を誤った場合、言い換えると、制御回路Ｂ１，Ｂ２，・・・Ｂｎが有するｎ個の第２半導体スイッチ３０のソースの電位を基準として、第１半導体スイッチ２０のソースに負の電圧が印加された場合、電流が、負極端子Ｔ２から導体１２、ダイオードＤ１、抵抗Ｒ３，Ｒ２及び正極端子Ｔ１の順に流れる。このとき、抵抗Ｒ２で電圧降下が生じ、スイッチ２１に関して、エミッタの電位を基準としたベースの電圧がオン閾値Ｖｎ３以上となり、スイッチ２１がオンに切替わる。スイッチ２１がオンである場合、第１半導体スイッチ２０において、ソースの電位を基準としたゲートの電圧が、略ゼロＶであり、オフ閾値Ｖｆ１未満である。このとき、第１半導体スイッチ２０はオフである。
【００３６】
従って、バッテリ１１の接続を誤った場合、スイッチ２１がオンに切替わって、第１半導体スイッチ２０がオフに切替わる。前述したように、寄生ダイオードＤｐ１のカソードは、第１半導体スイッチ２０のドレインに接続されているので、第１半導体スイッチ２０がオフである場合、第１半導体スイッチ２０においてドレインからソースに電流が流れることはない。このため、バッテリ１１の接続を誤った場合にｎ個の負荷Ａ１，Ａ２，・・・，Ａｎに電流が流れることはない。
【００３７】
第１半導体スイッチ２０がオフである状態でバッテリ１１の接続を誤った場合、スイッチ２１がオンであるか否かに無関係に、負極端子Ｔ２からｎ個の負荷Ａ１，Ａ２，・・・，Ａｎに電流が流れることはない。
また、たとえ第１半導体スイッチ２０と、ｎ個の第２半導体スイッチ３０中の少なくとも１つとがオンであっても、バッテリ１１の接続を誤った場合、第１半導体スイッチ２０は強制的にオフに切替わるので、ｎ個の負荷Ａ１，Ａ２，・・・，Ａｎに電流が流れることが確実に防止される。
【００３８】
以下では、バッテリ１１は正常に接続されている場合における給電制御装置１０を説明する。説明を簡単にするため、寄生ダイオードＤｐ１，Ｄｐ２及びダイオードＤ２夫々の順方向の電圧降下の幅は十分に小さいとみなす。
第１半導体スイッチ２０においては、ゲートから寄生容量Ｃｓ１，Ｃｄ１に電流を供給し、ソースの電位を基準としたゲートの電圧をオン閾値Ｖｎ１以上に上昇させる。これにより、第１半導体スイッチ２０をオンに切替える。
また、寄生容量Ｃｓ１，Ｃｄ１に放電させることによって、ソースの電位を基準としたゲートの電圧を、オフ閾値Ｖｆ１未満に低下させる。これにより、第１半導体スイッチ２０がオフに切替わる。
【００３９】
第２半導体スイッチ３０においては、ゲートから寄生容量Ｃｓ２，Ｃｄ２に電流を供給し、ソースの電位を基準としたゲートの電圧をオン閾値Ｖｎ２以上に上昇させる。これにより、第２半導体スイッチ３０をオンに切替える。
また、寄生容量Ｃｓ２，Ｃｄ２に放電させることによって、ソースの電位を基準としたゲートの電圧を、オフ閾値Ｖｆ２未満に低下させる。これにより、第２半導体スイッチ３０がオフに切替わる。
【００４０】
制御回路Ｂｋ（ｋ＝１，２，・・・，ｎ）の駆動部３１には、マイコン２４から、負荷Ａｋの駆動を指示する駆動信号と、負荷Ａｋの駆動の停止を指示する停止信号とが入力される。
制御回路Ｂｋの駆動部３１は、駆動信号が入力された場合、図示しない内部抵抗を介して、バッテリ１１の出力電圧Ｖｂよりも高い駆動電圧を、制御回路Ｂｋの第２半導体スイッチ３０のゲートと、第１半導体スイッチ２０のゲートとに出力する。制御回路Ｂｋの駆動部３１は、内部抵抗及びダイオードＤ２を介して、第１半導体スイッチ２０のゲートに駆動電圧を出力する。
【００４１】
制御回路Ｂｋの駆動部３１が駆動電圧を出力することによって、制御回路Ｂｋの第２半導体スイッチ３０のゲートから寄生容量Ｃｓ２，Ｃｄ２に電流が供給されると共に、第１半導体スイッチ２０のゲートから寄生容量Ｃｓ１，Ｃｄ１に電流が供給される。これにより、寄生容量Ｃｓ１，Ｃｄ１，Ｃｓ２，Ｃｄ２が充電され、第１半導体スイッチ２０及び第２半導体スイッチ３０夫々において、ソースの電位を基準としたゲートの電圧が上昇する。
【００４２】
制御回路Ｂｋの駆動部３１が駆動電圧を出力することによって、第１半導体スイッチ２０ではソースの電位を基準としたゲートの電圧がオン閾値Ｖｎ１以上となり、制御回路Ｂｋの第２半導体スイッチ３０ではソースの電位を基準としたゲートの電圧がオン閾値Ｖｎ２以上となる。これにより、第１半導体スイッチ２０と、制御回路Ｂｋの第２半導体スイッチ３０とがオンに切替わる。
【００４３】
従って、ｎ個の制御回路Ｂ１，Ｂ２，・・・，Ｂｎ中の少なくとも１つの駆動部３１が駆動電圧を出力した場合、第１半導体スイッチ２０はオンに切替わる。ｎ個の負荷Ａ１，Ａ２，・・・，Ａｎの中で、オンである第２半導体スイッチ３０のソースに接続されている一又は複数の負荷には、バッテリ１１から給電され、一又は複数の負荷は作動する。
以上のように、ｎ個の制御回路Ｂ１，Ｂ２，・・・，Ｂｎの駆動部３１は、ｎ個の第２半導体スイッチ３０の少なくとも１つをオンに切替える場合、第１半導体スイッチ２０をオンに切替える。
【００４４】
制御回路Ｂｋ（ｋ＝１，２，・・・，ｎ）の第２半導体スイッチ３０がオンである場合、電流は、正極端子Ｔ１から、第１半導体スイッチ２０のソース及びドレイン、並びに、制御回路Ｂｋにおける第２半導体スイッチ３０のドレイン及びソースの順に流れる。
このため、第１半導体スイッチ２０のソースと、制御回路Ｂｋの第２半導体スイッチ３０のドレインとは電流入力端として機能し、第１半導体スイッチ２０のドレインと、制御回路Ｂｋの第２半導体スイッチ３０のソースとは電流出力端として機能する。第１半導体スイッチ２０及び第２半導体スイッチ３０夫々のゲートは制御端として機能する。
【００４５】
制御回路Ｂｋの駆動部３１は、停止信号が入力された場合、第２半導体スイッチ３０のゲートを、内部抵抗を介して導体１２に接続させる。これにより、寄生容量Ｃｓ２，Ｃｄ２から電流が駆動部３１に流れ、寄生容量Ｃｓ２，Ｃｄ２は放電し、第２半導体スイッチ３０のゲートの電圧は、オフ閾値Ｖｆ２未満となり、第２半導体スイッチ３０はオフに切替わる。第２半導体スイッチ３０がオフに切替わった場合、負荷Ａｋへの給電が停止し、負荷Ａｋは動作を停止する。
【００４６】
制御回路Ｂｋの第２半導体スイッチ３０のゲートが導体１２に接続されている状態で放電が終了した時点では、第２半導体スイッチ３０のドレインの電圧は、バッテリ１１の出力電圧Ｖｂに略一致しており、第２半導体スイッチ３０のゲート及びソース夫々の電圧は略ゼロＶである。
マイコン２４は、ｎ個の制御回路Ｂ１，Ｂ２，・・・，Ｂｎ夫々の駆動部３１に駆動信号又は停止信号を出力することによって、ｎ個の制御回路Ｂ１，Ｂ２，・・・，Ｂｎ夫々の動作を制御する。
【００４７】
マイコン２４がｎ個の駆動部３１の全てに停止信号を出力し、ｎ個の駆動部３１の全てが、ｎ個の第２半導体スイッチ３０のゲートを導体１２に接続させた場合、第１半導体スイッチ２０のゲートへの電圧の出力が停止する。このため、寄生容量Ｃｓ１，Ｃｄ１夫々では、第１半導体スイッチ２０のゲート側の一端から、電流が抵抗Ｒ１を介して流れ、第１半導体スイッチ２０の寄生容量Ｃｓ１，Ｃｄ１夫々は放電する。これにより、第１半導体スイッチ２０において、ソースの電位を基準としたゲートの電圧はオフ閾値Ｖｆ１未満となり、第１半導体スイッチ２０はオフに切替わる。
【００４８】
ｎ個の第２半導体スイッチ３０のゲートが導体１２に接続されている状態で寄生容量Ｃｓ１，Ｃｄ１の放電が終了した時点では、寄生容量Ｃｓ１，Ｃｄ１夫々の両端間の電圧は略ゼロＶであり、寄生容量Ｃｓ１，Ｃｄ１夫々が蓄積している電力は略ゼロＷである。
【００４９】
以上のように、ｎ個の制御回路Ｂ１，Ｂ２，・・・，Ｂｎの駆動部３１の全てが第２半導体スイッチ３０のゲートを、内部抵抗を介して導体１２に接続した場合、第１半導体スイッチ２０はオフに切替わる。ｎ個の制御回路Ｂ１，Ｂ２，・・・，Ｂｎの駆動部３１は、ｎ個の第２半導体スイッチ３０の全てをオフに切替える場合、第１半導体スイッチ２０をオフに切替える。
ｎ個の制御回路Ｂ１，Ｂ２，・・・，Ｂｎの駆動部３１は切替え部として機能する。
【００５０】
給電制御装置１０では、ｎ個のダイオードＤ２の作用により、第１半導体スイッチ２０の寄生容量Ｃｓ１，Ｃｄ１からｎ個の駆動部３１に電流が流れることはない。このため、駆動電圧を出力している複数の駆動部３１中の１つが、第２半導体スイッチ３０のゲートを、内部抵抗を介して導体１２に接続した場合であっても、第１半導体スイッチ２０はオンに維持される。
言い換えると、複数の第２半導体スイッチ３０がオンである状態で、オンである１つの第２半導体スイッチ３０のゲートの電圧を低下させた場合に、第１半導体スイッチ２０のゲートの電圧が低下することはないので、第１半導体スイッチ２０がオフに切替わることはない。
【００５１】
図４は、給電制御装置１０の動作を説明するためのタイミングチャートである。ここでは、ｎが３である場合における給電制御装置１０の動作を説明する。図４には、第１半導体スイッチ２０のオン及びオフの推移と、制御回路Ｂ１，Ｂ２，Ｂ３夫々の第２半導体スイッチ３０のオン及びオフの推移とが示されている。
【００５２】
図４に示すように、３個の第２半導体スイッチ３０の全てがオフに切替わった場合、第１半導体スイッチ２０はオフに切替わる。また、３個の第２半導体スイッチ３０中の少なくとも１つがオンである場合、第１半導体スイッチ２０はオンである。
【００５３】
３個の負荷Ａ１，Ａ２，Ａ３の中でオンである第２半導体スイッチ３０のソースに接続されている負荷に給電され、この負荷は作動する。また、３個の負荷Ａ１，Ａ２，Ａ３の中でオフである第２半導体スイッチ３０のソースに接続されている負荷に給電されず、この負荷は動作を停止する。
【００５４】
例えば、制御回路Ｂ１，Ｂ２夫々の第２半導体スイッチ３０がオンであり、かつ、制御回路Ｂ３の第２半導体スイッチ３０がオフである場合、負荷Ａ１，Ａ２は作動し、負荷Ａ３は動作を停止する。
【００５５】
給電制御装置１０において、第１半導体スイッチ２０と、ｎ個の第２半導体スイッチ３０とがオフである状態で、制御回路Ｂｋ（ｋ＝１，２，・・・，ｎ）の駆動部３１が、第１半導体スイッチ２０と、制御回路Ｂｋの第２半導体スイッチ３０とをオフからオンに切替える速度は速い。
比較対象の給電制御装置は、抵抗Ｒ１が設けられておらず、かつ、第１半導体スイッチ２０のゲートがダイオードＤ２を介さずに制御回路Ｂｋの第２半導体スイッチ３０のゲートに接続されている給電制御装置である。比較対象の給電制御装置でも、制御回路Ｂｋの駆動部３１が駆動電圧を出力することによって、第１半導体スイッチ２０と、制御回路Ｂｋの第２半導体スイッチ３０とをオフからオンに切替えることが可能である。
当然のことながら、給電制御装置１０及び比較対象の給電制御装置夫々において、制御回路Ｂｋの駆動部３１が供給する電力は同じである。
【００５６】
図５は、制御回路Ｂｋの第２半導体スイッチ３０のオンへの切替えの説明図である。図５には、制御回路Ｂｋの第２半導体スイッチ３０におけるソースの電圧Ｖｓ２及びゲートの電圧Ｖｇ２夫々の推移が示されている。以下では、ソースの電圧Ｖｓ２及びゲートの電圧Ｖｇ２夫々をソース電圧Ｖｓ２及びゲート電圧Ｖｇ２と記載する。ソース電圧Ｖｓ２及びゲート電圧Ｖｇ２夫々は、導体１２の電位を基準とした電圧である。ゲート電圧Ｖｇ２及びソース電圧Ｖｓ２夫々の推移は太線及び細線で示されている。ゲート電圧Ｖｇ２及びソース電圧Ｖｓ２の推移が重なる部分は太線で示されている。
給電制御装置１０、及び、比較対象の給電制御装置夫々について、ソース電圧Ｖｓ２及びゲート電圧Ｖｇ２夫々の推移の傾向は、変わらない。
【００５７】
以下では、制御回路Ｂｋの駆動部３１が駆動電圧の出力を開始してからゲート電圧Ｖｇ２がオフ閾値Ｖｆ２に到達するまでの期間を第１期間と記載し、ゲート電圧がオフ閾値Ｖｆ２に到達してからソース電圧Ｖｓ２がバッテリ１１の出力電圧Ｖｂに到達するまでの期間を第２期間と記載する。更に、ソース電圧Ｖｓ２がバッテリ１１の出力電圧Ｖｂに到達してから、ゲート電圧Ｖｇ２が駆動電圧に到達するまでの期間を第３期間と記載する。給電制御装置１０における第１期間及び第２期間夫々の長さは、比較対象の給電制御装置における第１期間及び第２期間の長さよりも短い。給電制御装置１０における第３期間の長さは、比較対象の給電制御装置における第３期間の長さと略同じである。
【００５８】
まず、比較対象の給電制御装置におけるオンへの切替えについて述べる。比較対象の給電制御装置では、第１半導体スイッチ２０、及び、ｎ個の制御回路Ｂ１，Ｂ２，・・・，Ｂｎの第２半導体スイッチ３０がオフである場合、電流が正極端子Ｔ１から寄生容量Ｃｓ１及び駆動部３１の順に流れ、更には、電流が正極端子Ｔ１から寄生ダイオードＤｐ１、寄生容量Ｃｄ１及び駆動部３１の順に流れる。このため、第１半導体スイッチ２０において、ゲートの電位を基準としたソース及びドレイン夫々の電圧はバッテリ１１の出力電圧Ｖｂと略一致している。従って、第１半導体スイッチ２０において、ソース及びドレイン夫々の電位を基準としたゲートの電圧は負である。
【００５９】
第１期間では、寄生容量Ｃｓ１，Ｃｓ２が充電される。寄生容量Ｃｓ１に関しては、電流が第１半導体スイッチ２０のゲートから供給され、寄生容量Ｃｓ２に関しては、電流が第２半導体スイッチ３０のゲートから供給される。寄生容量Ｃｓ２の充電により、ゲート電圧Ｖｇ２が上昇する。ゲート電圧Ｖｇ２及びソース電圧Ｖｓ２の差がオフ閾値Ｖｆ２となるまで、ソース電圧Ｖｓ２はゼロＶに維持される。
【００６０】
ゲート電圧Ｖｇ２及びソース電圧Ｖｓ２の差がオフ閾値Ｖｆ２となった場合、第２半導体スイッチ３０のドレイン及びソース間に電流が流れる。このとき、第１半導体スイッチ２０はオフであるため、電流は、正極端子Ｔ１から、第１半導体スイッチ２０の寄生ダイオードＤｐ１を流れる。
【００６１】
負荷Ａｋに電流が流れた場合、負荷Ａｋの両端間に電圧が発生し、ソース電圧Ｖｓ２が上昇する。また、負荷Ａｋに流れる電流の上昇と共に、負荷Ａｋの両端間の電圧も上昇する。第２期間では、寄生容量Ｃｓ１，Ｃｄ１，Ｃｄ２が充電される。寄生容量Ｃｄ２の充電により、ゲート電圧Ｖｇ２が上昇する。寄生容量Ｃｓ１，Ｃｄ１に関しては、電流が第１半導体スイッチ２０のゲートから供給される。寄生容量Ｃｄ２に関しては、電流が第２半導体スイッチ３０のゲートから供給される。
【００６２】
ゲート電圧Ｖｇ２が上昇した場合、負荷Ａｋに流れる電流が上昇し、ソース電圧Ｖｓ２が上昇する。ソース電圧Ｖｓ２は、バッテリ１１の出力電圧Ｖｂとなるまで、ソース電圧Ｖｓ２及びゲート電圧Ｖｇ２間の差をオフ閾値Ｖｆ２に維持しながら、ゲート電圧Ｖｇ２の上昇と共に上昇する。ソース電圧Ｖｓ２は、バッテリ１１の出力電圧Ｖｂに到達した後、バッテリ１１の出力電圧Ｖｂに維持される。
【００６３】
第３期間では、寄生容量Ｃｓ１，Ｃｄ１，Ｃｓ２，Ｃｄ２が充電される。寄生容量Ｃｓ２，Ｃｄ２の充電により、ソース電圧Ｖｓ２がバッテリ１１の出力電圧Ｖｂに維持された状態でゲート電圧Ｖｇ２が駆動電圧まで上昇する。ゲート電圧Ｖｇ２及びソース電圧Ｖｓ２間の差がオン閾値Ｖｎ２以上となった時点で、制御回路Ｂｋの第２半導体スイッチ３０はオンに切替わる。
【００６４】
導体１２の電位を基準とした第１半導体スイッチ２０のゲートの電圧はゲート電圧Ｖｇ２と同様に推移し、導体１２の電位を基準とした第１半導体スイッチ２０のソースの電圧はバッテリ１１の出力電圧Ｖｂと略一致している。第１半導体スイッチ２０では、ソースの電位を基準としたゲートの電圧は、負の電圧から上昇する。ソースの電位を基準としたゲートの電圧がオン閾値Ｖｎ１以上となった場合に第１半導体スイッチ２０はオンに切替わる。
【００６５】
次に、給電制御装置１０におけるオンへの切替えについて述べる。給電制御装置１０では、第１半導体スイッチ２０、及び、ｎ個の制御回路Ｂ１，Ｂ２，・・・，Ｂｎの第２半導体スイッチ３０がオフである場合、寄生容量Ｃｓ１は抵抗Ｒ１を介して放電し、寄生容量Ｃｄ１は抵抗Ｒ１及びダイオードＤｐ１を介して放電する。このため、第１半導体スイッチ２０において、ソースの電圧を基準としたゲートの電圧と、ドレインの電圧を基準としたゲートの電圧とは略ゼロＶである。
【００６６】
第１期間では、制御回路Ｂｋの駆動部３１が駆動電圧の出力を開始してから、第２半導体スイッチ３０のゲート電圧Ｖｇ２がバッテリ１１の出力電圧Ｖｂ以上となるまで、駆動部３１から第１半導体スイッチ２０のゲートに電圧が出力されることはない。
【００６７】
第１期間では、制御回路Ｂｋの駆動部３１が供給する全ての電力が寄生容量Ｃｓ２に供給され、寄生容量Ｃｓ２のみが充電される。寄生容量Ｃｓ２に関しては、電流が第２半導体スイッチ３０のゲートから供給される。寄生容量Ｃｓ２の充電により、ゲート電圧Ｖｇ２が上昇する。ゲート電圧Ｖｇ２及びソース電圧Ｖｓ２の差がオフ閾値Ｖｆ２となるまで、ソース電圧Ｖｓ２はゼロＶに維持される。オフ閾値Ｖｆ２はバッテリ１１の出力電圧Ｖｂ未満である。
【００６８】
ゲート電圧Ｖｇ２及びソース電圧Ｖｓ２の差がオフ閾値Ｖｆ２となった場合、第２半導体スイッチ３０のドレイン及びソース間に電流が流れる。このとき、第１半導体スイッチ２０はオフであるため、電流は、正極端子Ｔ１から、第１半導体スイッチ２０の寄生ダイオードＤｐ１を流れる。
なお、第１期間において、ゲート電圧Ｖｇ２の上昇によって、第１半導体スイッチ２０のドレインの電圧が上昇し、第１半導体スイッチ２０のゲートの電圧はバッテリ１１の出力電圧Ｖｂに維持されている。このため、寄生容量Ｃｄ１が充電される。しかしながら、寄生容量Ｃｄ１の静電容量は、例えば、寄生容量Ｃｓ１の静電容量の１０分の１であり、十分に小さいので、第１期間に寄生容量Ｃｄ１に供給される電力は無視できる程度に小さい。
【００６９】
負荷Ａｋに電流が流れた場合、負荷Ａｋの両端間に電圧が発生し、ソース電圧Ｖｓ２が上昇する。また、負荷Ａｋに流れる電流の上昇と共に、負荷Ａｋの両端間の電圧も上昇する。第２期間では、寄生容量Ｃｄ２が充電され、ゲート電圧Ｖｇ２が上昇する。寄生容量Ｃｄ２に関しては、電流が第２半導体スイッチ３０のゲートから供給される。
【００７０】
給電制御装置１０では、比較対象の給電制御装置と同様に、ソース電圧Ｖｓ２は、バッテリ１１の出力電圧Ｖｂとなるまで、ソース電圧Ｖｓ２及びゲート電圧Ｖｇ２間の差をオフ閾値Ｖｆ２に維持しながら、ゲート電圧Ｖｇ２の上昇と共に上昇する。ソース電圧Ｖｓ２は、バッテリ１１の出力電圧Ｖｂに到達した後、バッテリ１１の出力電圧Ｖｂに維持される。
【００７１】
第３期間では、比較対象の給電制御装置と同様に、寄生容量Ｃｓ１，Ｃｄ１，Ｃｓ２，Ｃｄ２が充電される。寄生容量Ｃｓ２，Ｃｄ２の充電により、ソース電圧Ｖｓ２がバッテリ１１の出力電圧Ｖｂに維持された状態でゲート電圧Ｖｇ２が駆動電圧まで上昇する。ゲート電圧Ｖｇ２及びソース電圧Ｖｓ２間の差がオン閾値Ｖｎ２以上となった時点で、制御回路Ｂｋの第２半導体スイッチ３０はオンに切替わる。
【００７２】
導体１２の電位を基準とした第１半導体スイッチ２０のゲートの電圧は、ゲート電圧Ｖｇ２がバッテリ１１の出力電圧Ｖｂ未満である間、バッテリ１１の出力電圧Ｖｂに維持され、ゲート電圧Ｖｇ２がバッテリ１１の出力電圧Ｖｂ以上となった後、ゲート電圧Ｖｇ２と同様に推移する。導体１２の電位を基準とした第１半導体スイッチ２０のソースの電圧はバッテリ１１の出力電圧Ｖｂと略一致している。第１半導体スイッチ２０では、ソースの電位を基準としたゲートの電圧は、ゼロＶから上昇する。ソースの電位を基準としたゲートの電圧がオン閾値Ｖｎ１以上となった場合に第１半導体スイッチ２０はオンに切替わる。
【００７３】
以上のように、比較対象の給電制御装置では、制御回路Ｂｋの駆動部３１が駆動電圧を出力することによって、第１期間では寄生容量Ｃｓ１，Ｃｓ２が充電され、第２期間では寄生容量Ｃｓ１，Ｃｄ１，Ｃｄ２が充電され、第３期間では寄生容量Ｃｓ１，Ｃｄ１，Ｃｓ２，Ｃｓ２が充電される。制御回路Ｂｋの駆動部３１が駆動電圧を出力した時点の第１半導体スイッチ２０では、ソース及びドレイン夫々の電位を基準としたゲートの電圧は負である。このため、第１期間で寄生容量Ｃｓ１を充電し、第２期間で寄生容量Ｃｓ１，Ｃｄ１を充電している。
【００７４】
一方で、給電制御装置１０では、制御回路Ｂｋの駆動部３１が駆動電圧を出力することによって、第１期間では寄生容量Ｃｓ２が充電され、第２期間では寄生容量Ｃｄ２が充電され、第３期間では寄生容量Ｃｓ１，Ｃｄ１，Ｃｓ２，Ｃｓ２が充電される。制御回路Ｂｋの駆動部３１が駆動電圧を出力した時点の第１半導体スイッチ２０では、ソース及びドレイン夫々の電位を基準とした電圧はゼロＶである。このため、第１期間では寄生容量Ｃｓ１を充電する必要がなく、第２期間では寄生容量Ｃｓ１，Ｃｄ１を充電する必要がない。
【００７５】
従って、給電制御装置１０では、制御回路Ｂｋの駆動部３１が駆動電圧を出力してから、第１半導体スイッチ２０と、制御回路Ｂｋの第２半導体スイッチ３０とがオンに切替わるまでの時間が短い。このため、制御回路Ｂｋの第２半導体スイッチ３０をオフからオンに切替える場合に生じるスイッチング損失が小さい。更に、電流が第１半導体スイッチ２０の寄生ダイオードＤｐ１に流れている時間が短く、消費電力が小さい。
【００７６】
また、給電制御装置１０において、第１半導体スイッチ２０と、制御回路Ｂｋ（ｋ＝１，２，・・・，ｎ）の第２半導体スイッチ３０とがオンであり、かつ、他の第２半導体スイッチ３０がオフである状態で、制御回路Ｂｋの駆動部３１が、第１半導体スイッチ２０と、制御回路Ｂｋの第２半導体スイッチ３０とをオンからオフに切替える速度も速い。
【００７７】
比較対象の給電制御装置では、制御回路Ｂｋの駆動部３１が、制御回路Ｂｋの第２半導体スイッチ３０のゲートを、内部抵抗を介して導体１２に接続した場合、寄生容量Ｃｓ１，Ｃｄ１，Ｃｓ２，Ｃｄ２夫々から電流が駆動部３１に流れ、寄生容量Ｃｓ１，Ｃｄ１，Ｃｓ２，Ｃｄ２夫々は放電する。前述したように、第１半導体スイッチ２０においてソースの電位を基準としたゲートの電圧がオフ閾値Ｖｆ１未満となった場合、第１半導体スイッチ２０はオフに切替わる。第２半導体スイッチ３０においてソースの電位を基準としたゲートの電圧がオフ閾値Ｖｆ２未満となった場合、第２半導体スイッチ３０はオフに切替わる。
【００７８】
給電制御装置１０では、制御回路Ｂｋの駆動部３１が、制御回路Ｂｋの第２半導体スイッチ３０のゲートを、内部抵抗を介して導体１２に接続した場合、寄生容量Ｃｓ２，Ｃｄ２夫々から電流が駆動部３１に流れ、寄生容量Ｃｓ２，Ｃｄ２夫々は放電する。寄生容量Ｃｓ１，Ｃｄ１は抵抗Ｒ１を介して放電する。従って、第２半導体スイッチ３０において、制御回路Ｂｋの駆動部３１が内部抵抗を介して導体１２に接続してから、ソースの電位を基準としたゲートの電圧がオフ閾値Ｖｆ２未満となるまでの時間が短い。このため、制御回路Ｂｋの第２半導体スイッチ３０をオンからオフに切替える場合に生じるスイッチング損失も小さい。
【００７９】
給電制御装置１０では、ｎ個の負荷Ａ１，Ａ２，・・・，Ａｎ中の少なくとも１つに給電する場合、第１半導体スイッチ２０と、給電する一又は複数の負荷に対応する一又は複数の第２半導体スイッチ３０とをオンに切替える。これにより、バッテリ１１から、前述した一又は複数の負荷に給電される。また、寄生ダイオードＤｐ１のカソードは、ｎ個の寄生ダイオードＤｐ２のカソードに接続されているため、第１半導体スイッチ２０と、ｎ個の第２半導体スイッチ３０とがオフである状態で、バッテリ１１の接続を誤った場合であっても、ｎ個の負荷Ａ１，Ａ２，・・・，Ａｎに電流が流れることはない。
【００８０】
以上のように、バッテリ１１からｎ個の負荷Ａ１，Ａ２，・・・，Ａｎへの給電が、１個の第１半導体スイッチ２０と、ｎ個の第２半導体スイッチ３０とによって適切に制御される。第１半導体スイッチ２０及び第２半導体スイッチ３０の数の合計が少ないため、給電制御装置１０のサイズは小さく、給電制御装置１０の製造費用は安価である。
【００８１】
また、前述したように、たとえ第１半導体スイッチ２０と、ｎ個の第２半導体スイッチ３０中の少なくとも１つがオンであっても、バッテリ１１の接続を誤った場合、スイッチ２１がオンに切替わって、第１半導体スイッチ２０は強制的にオフに切替わる。このため、負極端子Ｔ２からｎ個の負荷Ａ１，Ａ２，・・・，Ａｎに電流が流れることが確実に防止される。
【００８２】
なお、スイッチ２１は、ＮＰＮ型のバイポーラトランジスタに限定されず、バッテリ１１の接続を誤った場合にオフに切替わるスイッチであればよい。従って、スイッチ２１は、ＰＮＰ型のバイポーラトランジスタ又はＦＥＴ等であってもよい。
【００８３】
開示された本実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００８４】
１０  給電制御装置
２０  第１半導体スイッチ
２１  スイッチ
３０  第２半導体スイッチ
３１  駆動部（切替え部の一部）
Ｄ２  ダイオード
Ｄｐ１  寄生ダイオード（第１寄生ダイオード）
Ｄｐ２  寄生ダイオード（第２寄生ダイオード）
Ｒ１  抵抗
【図１】
0006341224.tif 000002
【図２】
0006341224.tif 000003
【図３】
0006341224.tif 000004
【図４】
0006341224.tif 000005
【図５】
0006341224.tif 000006